(57)【要約】      （修正有）【課題】ＩＰ装置へＬＡＮケーブルを確実かつ適正に挿抜可能な、ＬＡＮケーブル接続装置を提供する。【解決手段】ＩＰ装置のポートの側に取り付ける台座は、ポートの数と同じ台座本体を備え、台座本体は、係合突部と、スイッチと、表示パネルを有し、ＬＡＮケーブルのコネクタに取り付けるアダプタ３は、ＬＡＮケーブルの進退方向に弾性力をもって傾倒自在なロック部３２と、ロック部３２の先端に形成される導通部３２ａと、アダプタ３の先端に形成された係合凹部３１１とを備える。そして、係合突部３２と係合凹部３１１が係合するときに、ＬＡＮケーブルを適正にポートに接続することができる。一方、ロック部３２がポート側に傾倒し、導通部３２ａがスイッチに接触すると、表示パネルが、ポートの番号を表示するとともに、コネクタの爪部が押下可能となり、ＬＡＮケーブルが引き抜き可能となる。【選択図】図４
2016129111.tif 000002
【特許請求の範囲】
【請求項１】
ＩＰ装置のポートへのＬＡＮケーブルの誤挿抜を防止するＬＡＮケーブル接続装置であって、
前記ＬＡＮケーブルのコネクタに着脱自在で、前記コネクタの外周を覆うアダプタ本体と、前記アダプタ本体に回動自在に取り付けられ、回動方向の弾性力を有する回動軸と、前記回動軸に取り付けられ、前記コネクタの進退方向に傾倒自在なロック部と、を有するアダプタと、を備え、
前記回動軸は、前記ＬＡＮケーブルの爪部の押下を制限するストッパを有し、
前記ロック部は、傾倒されていない状態では、前記回動軸の弾性力により、前記アダプタ本体に起立した付勢を保ち、
前記爪部は、前記コネクタが前記ポートに挿入された状態では、前記ストッパにその押下を制限され、該ロック部が前記ポート側に押し込まれた状態で、押下が可能となる、ことを特徴とする、ＬＡＮケーブル接続装置。
【請求項２】
前記ＩＰ装置のポート側の面に着脱自在で、台座本体と、前記台座本体に形成された開口部を有する台座を備え、
前記台座本体は、前記ポートの数字を表示する表示パネルと、前記表示パネルと電気的に接続された２個の端子部を有し、
前記ロック部は、その先端に前記端子部と電気的に接続可能な導通部を有し、
前記ロック部が前記ポート側に押し込まれた状態で、２個の前記端子部と前記導通部が電気的に接続される、
ことを特徴とする請求項１記載のＬＡＮケーブル接続装置。
【請求項３】
前記ＩＰ装置のポート側の面に着脱自在で、台座本体と、前記台座本体に形成された開口部を有する台座を備え、
前記台座本体は、前記ポートごとに異なる形状の係合突部を有し、
前記アダプタ本体は、その先端に前記係合突部と嵌合可能な形状に形成された係合凹部を有する、
ことを特徴とする請求項１または２いずれか１項に記載のＬＡＮケーブル接続装置。
【発明の詳細な説明】
【技術分野】
【０００１】
この発明は、ＩＰ（Ｉｎｔｅｒｎｅｔ  Ｐｒｏｔｏｃｏｌ）装置にＬＡＮ（Ｌｏｃａｌ  Ａｒｅａ  Ｎｅｔｗｏｒｋ）ケーブルを挿抜するための、ＬＡＮケーブル接続装置に関する。
【背景技術】
【０００２】
スイッチを含むＩＰ装置とＬＡＮケーブルとを接続するためのポートは、同じ規格の挿入口が並んで幾つも配設されているため、ＬＡＮケーブルを誤挿抜するおそれがある。そしてＬＡＮケーブルを誤挿抜すると、該ＬＡＮケーブルに接続されたＩＴ機器が、不用意にネットワークから切断されるなどの、回線障害を起こすおそれがある。
【０００３】
そこで、一般的にはＬＡＮケーブルの誤挿入を防止するために、ポートに差込防止キャップを取り付けたり、ＬＡＮケーブルの誤抜を防止するために、ＬＡＮケーブルのコネクタに鍵付きアダプタを取り付けたりしている（例えば、特許文献１参照。）。また、ＬＡＮケーブルに対応するポート番号を記載した識別ラベルを取り付けて、注意喚起をしている。
【先行技術文献】
【特許文献】
【０００４】
【特許文献１】特開２００５−３３２６４号公報
【発明の概要】
【発明が解決しようとする課題】
【０００５】
しかしながら、差込防止キャップや鍵付きアダプタを取り付けたとしても、ＩＰ装置には同じ規格や外観のポートが幾つも並んでいるため、ポートを間違えてＬＡＮケーブルを挿抜するおそれは依然として存在する。また、識別ラベルを取り付けたとしても、確認ミスや確認漏れによる誤挿抜を完全に防ぐことはできない。
【０００６】
そこでこの発明は、ＩＰ装置へＬＡＮケーブルを確実かつ適正に挿抜可能な、ＬＡＮケーブル接続装置を提供することを目的とする。
【課題を解決するための手段】
【０００７】
上記課題を解決するために、請求項１の発明は、ＩＰ装置のポートへのＬＡＮケーブルの誤挿抜を防止するＬＡＮケーブル接続装置であって、前記ＬＡＮケーブルのコネクタに着脱自在で、前記コネクタの外周を覆うアダプタ本体と、前記アダプタ本体に回動自在に取り付けられ、回動方向の弾性力を有する回動軸と、前記回動軸に取り付けられ、前記コネクタの進退方向に傾倒自在なロック部と、を有するアダプタと、を備え、前記回動軸は、前記ＬＡＮケーブルの爪部の押下を制限するストッパを有し、前記ロック部は、傾倒されていない状態では、前記回動軸の弾性力により、前記アダプタ本体に起立した付勢を保ち、前記爪部は、前記コネクタが前記ポートに挿入された状態では、前記ストッパにその押下を制限され、該ロック部が前記ポート側に押し込まれた状態で、押下が可能となる、ことを特徴とする。
【０００８】
この発明によれば、ロック部をポート側に押し込むことにより、コネクタの爪部が押下可能となり、ＬＡＮケーブルの引き抜きができるようになる。
【０００９】
また、請求項２に記載の発明は、請求項１記載のＬＡＮケーブル接続装置において、前記ＩＰ装置のポート側の面に着脱自在で、台座本体と、前記台座本体に形成された開口部を有する台座を備え、前記台座本体は、前記ポートの番号を表示する表示パネルと、前記表示パネルと電気的に接続された２個の端子部を有し、前記ロック部は、その先端に前記端子部と電気的に接続可能な導通部を有し、前記ロック部が前記ポート側に押し込まれた状態で、２個の前記端子部と前記導通部が電気的に接続される、ことを特徴とする。
【００１０】
この発明によれば、ロック部をポート側に押し込んで、ＬＡＮケーブルを抜出可能となった状態で、２個の端子が導通部を介して電気的に接続されるため、表示パネルがそれぞれのポートの番号を表示する。
【００１１】
また、請求項３に記載の発明は、請求項１または２いずれか１項に記載のＬＡＮケーブル接続装置において、前記ＩＰ装置のポート側の面に着脱自在で、台座本体と、前記台座本体に形成された開口部を有する台座を備え、前記台座本体は、前記ポートごとに異なる形状の係合突部を有し、前記アダプタ本体は、その先端に前記係合突部と嵌合可能な形状に形成された係合凹部を有する、ことを特徴とする。
【００１２】
この発明によれば、ＬＡＮケーブルのコネクタを、ＩＰ装置のポートに挿入する際は、その組み合わせが正しい場合のみ係合突部が係合凹部に嵌合し、適正に挿入が可能となる。
【発明の効果】
【００１３】
請求項１の発明によれば、ＬＡＮケーブルのコネクタにアダプタを取り付けることで、ロック部を押し込まなければ、コネクタの爪部を押下できないので、ポートからＬＡＮケーブルを引き抜く際に、誤抜を抑制することができる。
【００１４】
また、請求項２の発明によれば、既設のＩＰ装置のポート側の面に台座を取り付けることで、ＬＡＮケーブルを引き抜くために、ロック部を押し込んだ際に、表示パネルのＬＥＤが発光してそれぞれのポートの番号を表示するので、それを確認することで、確認ミスや確認漏れを防止して、さらに誤抜を抑制することができる。
【００１５】
また、請求項３の発明によれば、ポートにＬＡＮケーブルを接続する場合は、各ポートに対応するアダプタが取り付けられたＬＡＮケーブルのみが、台座本体の係合突部とアダプタの係合凹部とが嵌合するので、ポートに接続することができる。これにより、ＬＡＮケーブルの誤接続を防止することができる。
【図面の簡単な説明】
【００１６】
【図１】この発明の実施の形態に係るＬＡＮケーブル接続装置の台座を示す正面図である。
【図２】この発明の実施の形態に係る、ＬＡＮケーブル接続装置の台座と表示パネルを示す概略正面図である。
【図３】数字の１を表示する場合の表示パネルの７セグメントディスプレイと、台座本体のスイッチの概略回路図である。
【図４】この発明の実施の形態に係る、ＬＡＮケーブル接続装置のアダプタを示す、前方斜視図（ａ）と、後方斜視図（ｂ）である。
【図５】図４（ａ）における、アダプタの回動部の内部構造を示す、概略斜視図である。
【図６】この発明の実施の形態に係る、ＬＡＮケーブル接続装置のアダプタの側面断面図である。
【図７】この発明の実施の形態に係る、ＬＡＮケーブル接続装置の台座を取り付けたＩＰ装置のポートと、アダプタを取り付けたＬＡＮケーブルの、ポートとアダプタの内部構成図（ａ）と、ロック部をポート側に押し込んだ状態（ｂ）を示す側面断面図である。
【図８】この発明の実施の形態に係る、ＬＡＮケーブル接続装置の台座を取り付けたＩＰ装置のポートと、アダプタを取り付けたＬＡＮケーブルの、分離状態（ａ）と接続状態（ｂ）の側面図である。
【図９】この発明の実施の形態に係る、ＬＡＮケーブル接続装置の台座を取り付けたＩＰ装置のポートと、アダプタを取り付けたＬＡＮケーブルの、接続状態の正面図である。
【発明を実施するための形態】
【００１７】
以下、この発明を図１〜９に示す実施の形態に基づいて説明する。
【００１８】
図１は、ＬＡＮケーブル接続装置１の台座２を示す正面図である。ＬＡＮケーブル接続装置１は、図２〜４に示すように、主として、ＩＰ装置２００のポート２０１側の面に着脱自在な台座２と、ＬＡＮケーブル１００のコネクタ１０１に着脱自在なアダプタ３とを備えている。
【００１９】
台座２は、ＩＰ装置２００のポート２０１側の面に着脱自在となっており、図１に示すように、平板で構成された台座本体２１と、台座本体２１に形成された開口部２２と、台座本体２１に形成され、ポート２０１ごとに異なる形状の係合突部２３ａ、２３ｂと、スイッチ（端子部）２４ａ、２４ｂを備えている。
【００２０】
台座本体２１は、ＩＰ装置２００のポート２０１側の面と同等の大きさの長方形状の平板で構成されており、ＩＰ装置２００のポート２０１側の面に重ね合わせて、着脱自在に取り付けるものである。
【００２１】
開口部２２は、台座本体２１の略中央部に形成されており、ポート２０１と同等の大きさ、形状で、後述するアダプタ３を取り付けたＬＡＮケーブル１００のコネクタ１０１を挿通可能な大きさ、形状に設定されている。
【００２２】
係合突部２３ａ、２３ｂは、台座本体２１に各１個ずつ形成され、ポート２０１ごとに異なる形状に形成されており、当該台座２と対応するアダプタ３の係合凹部３１１と係合するようになっている。
【００２３】
スイッチ２４ａ、２４ｂは、表示パネル２５をＯＮ、ＯＦＦするためのスイッチであり、後述するアダプタ３の導通部３２ａと接続した場合にＯＮするようになっている。
【００２４】
また、台座本体２１には、ポート２０１に割り振られた一桁の番号（０〜９）が記載されている。
【００２５】
図２は、台座２と、台座２に電気的に接続された表示パネル２５の概略構成図である。
【００２６】
本実施形態では、１つの台座２は、１０個の台座本体２１を有している。すなわち、１つの台座２には、スイッチ２４ａ、２５ｂは、それぞれ合計１０個ずつ備えられている。
【００２７】
表示パネル２５は、ＬＥＤ（Ｌｉｇｈｔ  Ｅｍｉｔｔｉｎｇ  Ｄｉｏｄｅ）発光型の７セグメントディスプレイを有し、０〜９までの１０種類の数字を表示することができる装置である。表示パネル２５は、合計１０個のスイッチ２４ａ、２５ｂに対応して１０個備えられている。なお、図２では代表例として１つの表示パネル２５を示している。
【００２８】
ここで、７セグメントディスプレイは、図３に示すように、７個のＬＥＤを８の字状に配置したものであり、表示面の裏側にそれぞれのＬＥＤに対応するＬＥＤ端子と、共通端子であるアノードまたはカソード端子が設けられており、共通端子とＬＥＤ端子間に電流を流すことで、ＬＥＤを個別に点灯・消灯をして、１０進法の数字を表すことができる装置である。各表示パネル２５には、７セグメントディスプレイが１個備えられている。
【００２９】
各表示パネル２５は、１０個のポート２０１に対応する台座本体２１のスイッチ（以下、「ポート２０１のスイッチ」という。）２４ａ、２４ｂと電気的に接続されている。この各ポート２０１の番号を表示するように、７セグメントディスプレイの端子に接続されている。また、電源として電池を内蔵しており、ＬＥＤ発光のための電力を供給している。
【００３０】
例えば、図３は、数字の１を表示する場合の表示パネルの７セグメントディスプレイと、台座本体２１のスイッチの概略回路図である。この場合、ＡとＢのＬＥＤの端子ａ、ｂがポート番号１のポート２０１のスイッチ２４ａに、共通端子ｈがスイッチ２４ｂに接続されている。他の数字も同様に、表示したい数字に対応するＬＥＤの端子と共通端子ｈが、各ポート２０１のスイッチ２４ａ、２４ｂに接続されている。ここで、共通端子ｈとスイッチ２４ｂの間には電源（図示略）が備えられている。
【００３１】
また、数字の２を表示する場合には、Ｃ、Ａ、Ｄ、Ｇ、Ｅを点灯させるので、ポート番号２のポート２０１のスイッチ２４ａと、端子ｃ、ａ、ｄ、ｇ、ｅに接続されている。一方、スイッチ２４ｂは、上述と同様に、共通端子ｈに接続されており、電源もポート番号１のときと共通のものが備えられている。その他の数字３〜０を表示する場合も同様に、それぞれの数字を表示するために点灯させるＬＥＤの端子と、それぞれのポート２０１のスイッチ２４ａを接続する。
【００３２】
ここで、スイッチ２４ａ、２４ｂと表示パネル２５を繋ぐ配線は、台座２の裏面(スイッチ２４a、２４ｂが形成された側の反対側の面)の、スイッチ２４a、２４ｂの真裏に形成された開口（図示略）を通じてスイッチ２４ａ、２４ｂに接続され、台座２の周囲の辺に沿って敷設されている。そして、台座２の外で、各ポート２０１から延びた配線が一本に束ねられる。さらに、表示パネル２５の内部で分岐されて、各表示パネル２５の７セグメントディスプレイの端子にそれぞれ接続されている。
【００３３】
次に、図４〜図６に基づいて、アダプタ３について説明をする。
【００３４】
図４は、ＬＡＮケーブル接続装置１のアダプタ３の斜視図であり、（ａ）は斜め前方視、（ｂ）は斜め後方視のものである。また、図５は、図４（ａ）における、アダプタ３の回動部内部構造を示す、概略斜視図である。また、図６は、ＬＡＮケーブル接続装置１のアダプタ３の側面断面図である。
【００３５】
アダプタ３は、ＬＡＮケーブル１００のコネクタ１０１に着脱自在となっており、図４（ａ）、（ｂ）に示すように、コネクタ１０１の外周を覆うアダプタ本体３１と、ロック部３２と、ロック部３２の先端部に配設され、台座２のスイッチ２４と電気的に接続可能な導通部３２ａと、回動軸３３と、係合突部２３ａ、２３ｂと係合する係合凹部３１１と、を備える。
【００３６】
アダプタ本体３１は、コネクタ１０１のＬＡＮケーブル１００側の外周を覆う、略直方体であり、断面形状がコの字型の中空のケースであり、コネクタ１０１に着脱自在となるように形成されている。アダプタ本体３１は、合成樹脂のような電気絶縁体で形成されている。アダプタ本体３１には、コネクタ用開口３１２とケーブル用開口３１３が形成されている。コネクタ用開口３１２はコネクタ１０１が収納できる大きさと形状（略直方体）である。また、ケーブル用開口３１３は、コネクタ１０１をアダプタ本体３１に収納するために、ＬＡＮケーブル１００を通すための開口であり、コネクタ用開口３１２と相対する面（以下、「裏面」という。）に形成された第１の開口３１３ａと、ロック部３２が設置された面と相対する面（以下、「底面」という。）に形成された第２の開口３１３ｂとからなる。第１の開口３１３ａは、裏面の略中央から、底面に向けて溝状に形成され、その幅はＬＡＮケーブル１００と挿通可能な程度の大きさである。一方、第２の開口３１３ｂは、底面と裏面が交わる辺から、コネクタ用開口３１２と交わる辺に向けて、底面を二分するような溝状に形成され、その幅は第１の開口３１３ａと同様に、ＬＡＮケーブル１００を挿通可能な程度の大きさである。
【００３７】
ロック部３２は、２本の柱３２１と、柱３２１の上に、柱３２１と直交するように配設された板３２２により、断面形状が略Ｌ字ないし鉤状に形成されており、回動軸３３を介してアダプタ本体３１の上面部に配設されている。ロック部３２は、柱により後述する回動軸３３に接続されており、回動軸３３に内蔵されたねじりバネ３３２の弾性力によって、コネクタ１０１の進退方向に傾倒自在である。また、ロック部３２の板３２の先端部には、導通部３２ａが形成されている。導通部３２ａは、台座本体２１のスイッチ２４ａ、２４ｂと接触した時に、スイッチ２４ａ、２４ｂを電気的に接続できるように形成されている。
【００３８】
回動軸３３は、ロック部３２をアダプタ本体３１の上面部に配設する、略円筒状の軸である。回動軸３３は、略Ω字状の接続体３３３により、アダプタ本体３１の一面（以下、「上面」という。）に取り付けられている。また、回動軸３３には、突起状のストッパ３３１が取り付けられている。
【００３９】
図５は、図４（ａ）において、Ａ部近傍の回動軸３３の内部構造を示す、概略斜視図である。回動軸３３の円筒の内部には、ねじりバネ３３２が両端に１個ずつ、計２個内蔵されており、該ねじりバネ３３２の一端は、回動軸３３の形成された開口から、回動軸３３の外部に露出して、ロック部３２の柱３２１に、もう一端は、アダプタ本体３１の上面に接着・固定されている。
【００４０】
そして、ねじりバネ３３２は、その弾性力により、回動軸３３を軸にして、ロック部３２を、コネクタ１０１の進退方向（裏面から、コネクタ用開口３１２に向かう方向であり、図６の矢印の向き。）に弾性力をもって傾倒自在に配設している。そのため、ロック部３２は、傾倒していない場合は、図５に示すように、起立した状態に付勢されている。そのため、ポート２０１側に押し込んだロック部３２から手を離すと図７（ａ）に示す状態に戻るようになっている。
【００４１】
さらに、ロック部３２をポート２０１側に押し込んで傾倒することにより、導通部３２ａとスイッチ２４ａ、２４ｂとが電気的に接続されるようになっている。
【００４２】
ストッパ３３１は、図７（ａ）に示すように、アダプタ３を取り付けたコネクタ１０１がポート２０１と接続された状態では、コネクタ１０１の爪部１０２の動きを制限し、押下できないようにする部品である。また、図７（ｂ）に示すように、ロック部３２がポート２０１側に傾倒した状態では、ストッパ３３１も同様に傾倒し、爪部１０２とストッパ３３１の間に隙間が生じて、爪部１０２の先端が露出して、爪部１０２が下方に押下可能になる。
【００４３】
ストッパ３３１の大きさは、ロック部３２の傾倒角度や、回動軸３３の径を考慮して、ロック部３２が起立している状態では爪部１０２を押下できず、ロック部３２を傾倒させ、導通部３２ａがスイッチ２４ａ、２４ｂに接触した状態では、爪部１０２を押下できるように設定する。例えば、回動軸３３の径が小さく、また、ロック部３２が深く傾倒する場合には、爪部１０２とストッパ３３１の隙間は大きくなるため、ストッパ３３１を大きくする必要がある。
【００４４】
係合凹部３１１は、アダプタ本体３１の先端に２箇所形成された切り欠きであり、対応する台座２の係合突部２３ａ、２３ｂと係合する大きさ、形状、位置に設定されている。係合凹部３１１は、対応する係合突部２３ａ、２３ｂ以外とは係合しないので、アダプタ３を取り付けたコネクタ１０１を他のポート２０１に接続しようとした際には、係合突部２３ａ、２３ｂがアダプタ本体３１と接触して干渉するので、コネクタ１０１をポート２０１に適正に接続できないようになっている。
【００４５】
次に、このようなＬＡＮケーブル接続装置１の使用方法、作用について図７〜９に基づいて説明する。
【００４６】
まず、既設のＩＰ装置２００のポート２０１側の面に、台座２が取り付けられ、既設のＬＡＮケーブル１００のコネクタ１０１に、当該台座２の、各ポート２０１に対応する係合突部２３ａ、２３ｂに係合する係合凹部３１１を有するアダプタ３が取り付けられる。
【００４７】
次に、アダプタ３のアダプタ本体３１に、コネクタ１０１を取り付ける。先ず、ＬＡＮケーブル１００を、底面側からＬＡＮケーブル用開口３１３に通し、コネクタ１０１を、コネクタ用開口３１３から、アダプタ本体３１の内部に収納する（図８（ａ））。
【００４８】
ポート２０１にＬＡＮケーブル１００を接続する際は、各ポート２０１に対応するアダプタ３が取り付けられたＬＡＮケーブル１００が接続される。この場合は、各ポート２０１に対応する係合突部２３ａ、２３ｂとアダプタ３の係合凹部３１１とが係合するので、ＬＡＮケーブル１００のコネクタ１０１が確りとポート２０１に嵌るように、適正に接続することができる（図８（ｂ）、図９）。
【００４９】
ポート２０１からＬＡＮケーブル１００を取り外す際は、アダプタ３のロック部３２をポート２０１側へ押し込んで、傾倒させることにより、導通部３２ａとスイッチ２４ａ、２４ｂとが電気的に接続されて（図７（ｂ））、このスイッチ２４ａ、２４ｂに対応して設けられている表示パネル２５のＬＥＤが点灯し、ポート２０１の数字が表示される。そして、作業者によって、点灯した表示パネル２５のポート番号が確認され、取り外し対象であることが確認される。そして、コネクタ１０１の爪部１０２が押下されて、ＬＡＮケーブル１００を取り外すことが可能になる。
【００５０】
このようなＬＡＮケーブル接続装置１によれば、既設のＩＰ装置２００のポート２０１側の面に台座２を取り付け、ＬＡＮケーブル１００のコネクタ１０１にアダプタ３を取り付けることで、ロック部３２を押し込まなければ、コネクタの爪部１０２を押下できないので、ポート２０１からＬＡＮケーブル１００を引き抜く際に、誤抜を抑制することができる。
【００５１】
また、ＬＡＮケーブル１００を引き抜くために、ロック部３２を押し込んだ際に、表示パネル２５がポート２０１の番号を表示するので、それを確認することで、確認ミスや確認漏れを防止して、さらに誤抜を抑制することができる。
【００５２】
さらに、ポート２０１にＬＡＮケーブル１００を接続する場合は、各ポート２０１に対応するアダプタ３が取り付けられたＬＡＮケーブル１００のみが、台座本体２１の係合突部２３ａ、２３ｂとアダプタ３の係合凹部３１１とが嵌合するので、ポート２０１に接続することができる。これにより、ＬＡＮケーブル１００の誤接続を防止することができる。
【００５３】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、導通部３２ａがスイッチ２４ａ、２４ｂを電気的に接続することで表示パネル２５のＬＥＤを発光させたが、スイッチ２４ａ、２４ｂを端子ではなく、押しボタンとして、ロック部３２を傾倒して、その先端でボタンを押下したときに表示パネル２５のＬＥＤが発光するような構成としてもよい。なお、この場合にはスイッチ２４ａ、２４ｂは何れか一個あればよい。
【００５４】
さらに、ロック部３２が、アダプタ本体３１上に起立した状態に保つのは、回動軸３３とねじりバネ３３２の組み合わせに限られず、例えば、直角に折り曲げた板ばねの一面をアダプタ本体３１に、もう一面をロック部の柱３２１に接続し、板ばねの弾性力を利用することでも、同様の効果が得られる。
【符号の説明】
【００５５】
１        ＬＡＮケーブル接続装置
２        台座
２１      台座本体
２２      開口部
２３ａ    係合突部
２３ｂ    係合突部
２４ａ    スイッチ（端子部）
２４ｂ    スイッチ（端子部）
２５      表示パネル
３          アダプタ
３１        アダプタ本体
３１１      係合凹部
３２        ロック部
３２ａ      導通部
３３        回動軸
３３１      ストッパ
１００    ＬＡＮケーブル
１０１      コネクタ
１０２      爪部
２００      ＩＰ装置
２０１      ポート
【図１】
2016129111.tif 000003
【図２】
2016129111.tif 000004
【図３】
2016129111.tif 000005
【図４】
2016129111.tif 000006
【図５】
2016129111.tif 000007
【図６】
2016129111.tif 000008
【図７】
2016129111.tif 000009
【図８】
2016129111.tif 000010
【図９】
2016129111.tif 000011